(57)【特許請求の範囲】
【請求項１】
動脈の最大血圧、最低血圧を測定する血圧測定方法において、
検査対象に取り付られた動脈波形検出センサにより得られた動脈波形を取り込む動脈波形取り込み工程と、
前記取り込まれた動脈波形を時間微分して動脈微分波形を得る動脈波形微分演算工程と、
その一拍ごとの動脈微分波形のゼロクロス点を用いて、その一拍における動脈微分波形の一周期の時間Ｔと、動脈波形の最低値に対応するゼロクロス点から最大値に対応するゼロクロス点までの時間Ｔａと、前記時間Ｔから前記Ｔａを差し引いた時間Ｔｂを求めるゼロクロス演算工程と、
前記演算により求めたＴとＴａとＴｂの値を用いて、
一分間脈拍数ｎをｎ＝（６０／Ｔ）で求め、
一拍ごとの最大血圧Ｐｈについて、Ａ、Ｂを定数、ＬＯＧは常用対数を示すものとして、｛Ｐｈ＊ｎ＝−Ａ＊ＬＯＧ（Ｔａ＊Ｔｂ）−Ｂ｝の関係式から算出し、
一拍ごとの最低血圧Ｐｌについて、Ｃ、Ｄを定数として、｛ｎ＊ｎ／Ｐｌ＝Ｃ＊（Ｔｂ＊Ｔｂ）―D｝の関係式から算出する血圧演算工程を有することを特徴とする動脈血圧測定方法。
【請求項２】
動脈の最大血圧、最低血圧を測定する血圧測定方法において、
検査対象に取り付けられた動脈波形検出センサにより得られた動脈波形を取り込む動脈波形取り込み工程と、
前記取り込まれた一拍ごとの動脈波形について、その最低値から最大値までの時間ＴＡと、その一拍における動脈波形の一周期の時間Ｔから前記ＴＡを差し引いた時間ＴＢを求めるＴＡＴＢ演算工程と、
前記演算により求めたＴＡ、ＴＢの値を用いて、
一分間脈拍数ｎをｎ＝（６０／Ｔ）で求め、
一拍ごとの最大血圧Ｐｈについて、Ａ、Ｂを定数、ＬＯＧは常用対数を示すものとして、｛Ｐｈ＊ｎ＝−Ａ＊ＬＯＧ（ＴＡ＊ＴＢ）−Ｂ｝の関係式から算出し、
一拍ごとの最低血圧Ｐｌについて、Ｃ、Ｄを定数として、｛ｎ＊ｎ／Ｐｌ＝Ｃ＊（ＴＢ＊ＴＢ）―D｝の関係式から算出する血圧演算工程を有することを特徴とする動脈血圧測定方法。
【請求項３】
動脈の最大血圧、最低血圧を測定する血圧測定装置において、
検査対象の動脈波形を検出するセンサ手段と、
前記センサ手段により得られた動脈波形を取り込む動脈波形取り込み手段と、
前記取り込まれた一拍ごとの前記動脈波形を時間微分して動脈微分波形を得る動脈波形微分演算手段と、
その一拍ごとの動脈微分波形のゼロクロス点を用いて、その一拍における動脈微分波形の一周期の時間Ｔと、動脈波形の最低値に対応するゼロクロス点から最大値に対応するゼロクロス点までの時間Ｔａと、前記時間Ｔから前記Ｔａを差し引いた時間Ｔｂを求めるゼロクロス演算手段と、
前記演算により求めたＴとＴａとＴｂの値を用いて、
一分間脈拍数ｎをｎ＝（６０／Ｔ）で求め、
一拍ごとの最大血圧Ｐｈについて、Ａ、Ｂを定数、ＬＯＧは常用対数を示すものとして、｛Ｐｈ＊ｎ＝−Ａ＊ＬＯＧ（Ｔａ＊Ｔｂ）−Ｂ｝の関係式から算出し、
一拍ごとの最低血圧Ｐｌについて、Ｃ、Ｄを定数として、｛ｎ＊ｎ／Ｐｌ＝Ｃ＊（Ｔｂ＊Ｔｂ）―D｝の関係式から算出する血圧演算手段を有することを特徴とする動脈血圧測定装置。
【請求項４】
動脈の最大血圧、最低血圧を測定する血圧測定装置において、
検査対象の動脈波形を検出するセンサ手段と、
前記センサ手段により得られた動脈波形を取り込む動脈波形取り込み手段と、
前記取り込まれた一拍ごとの動脈波形について、その最低値から最大値までの時間ＴＡと、その一拍における動脈波形の一周期の時間Ｔから前記ＴＡを差し引いた時間ＴＢを求めるＴＡＴＢ演算手段と、
前記演算により求めたＴＡ、ＴＢの値を用いて、
一分間脈拍数ｎをｎ＝（６０／Ｔ）で求め、
一拍ごとの最大血圧Ｐｈについて、Ａ、Ｂを定数、ＬＯＧは常用対数を示すものとして、｛Ｐｈ＊ｎ＝−Ａ＊ＬＯＧ（ＴＡ＊ＴＢ）−Ｂ｝の関係式から算出し、
一拍ごとの最低血圧Ｐｌについて、Ｃ、Ｄを定数として、｛ｎ＊ｎ／Ｐｌ＝Ｃ＊（ＴＢ＊ＴＢ）―D｝の関係式から算出する血圧演算手段を有することを特徴とする動脈血圧測定装置。
【発明の詳細な説明】
【０００１】
【発明の属する技術分野】
本発明は、動脈の血圧を測定する動脈血圧測定方法および動脈血圧測定装置に係り、特に人体に非侵襲、リアルタイムで測定する動脈血圧測定方法および動脈血圧測定装置に関するものである。
【０００２】
【従来の技術】
動脈血圧を非侵襲で測定するものとして、現在ではほとんどがＲｉｖａ-ｒｏｃｃｉ法に基づいて、体の部位に変形可能なマンシェットを取り付け、マンシェット内の圧力の変更時すなわちマンシェットから圧力を抜くときに、この圧力の二つの値を収縮期圧力と拡張期圧力に対応させる手段がとられている。この際に収縮期圧力と拡張期圧力に対応させるには、動脈を流れるときに血液によって血管に生ずる血管音（コロトコフ音）に基づいている。しかしこの方法では、例えば運動時などリアルタイムに動脈血圧を測定することが出来ない。そこで、種々のセンサ技術を応用して、非侵襲でリアルタイムで動脈血圧を測定する方法が試みられている。たとえば、特許公報第２７５００２３号には、一本の動脈血管を含む体の測定範囲内に音波または光波を放射し、動脈の血液から散乱した音波または光波を受信するために、センサ手段が設けられている。
【０００３】
【発明が解決しようとする課題】
これら従来の音波、光波を用いたセンサを体に取付け、動脈血圧の変化を観察する方法では確かに非侵襲でリアルタイムに動脈血圧の変化が測定できる。しかしながら、これらの測定方法は直接圧力を測定できず、電圧や周波数等の電気信号の変化を測定しているので、センサの種類、測定原理によりその単位表現が異なり、マンシェット法やあるいは直接動脈内に圧力センサを（侵襲で）挿入する観血法で得た圧力値と校正をとる必要がある。またリアルタイムで測定するには、これらのセンサはマンシェット法に比べて体への固定が不安定となり、ちょっとした体の動きなどでノイズが乗ってその測定データが変化してしまうという課題があった。
【０００４】
本発明の目的は、従来の非侵襲、リアルタイムの動脈血圧測定方法、測定装置の課題を解決して、センサの種類によらず、被検体へのセンサ固定方法などによる測定結果へのノイズの発生を防ぐ、非侵襲、リアルタイムの動脈血圧測定方法および動脈血圧測定装置を提供することである。
【０００５】
【課題を解決するための手段】
本発明は、一般に物質の振動の振幅はその周波数特性で記述されることから、血管系の物質の振動においても、最大血圧、最低血圧はその振幅、脈拍数はその振動数であるので、同様の考察が可能であるとの観点に立脚して、動脈血圧の最大血圧、最小血圧が、動脈波形の一周期およびその一周期における最大値、最低値に関係する時間関数で表すことが出来ることを見出したことの知見に基づく。図１は、体の動脈内に圧力センサを（侵襲で）挿入して動脈内圧力を直接測定する観血法によって得られた動脈波形から、動脈波形の一拍ごとの一周期の時間Ｔ、その一拍の動脈波形における最低値の点から最大値の点までの時間Ｔａ、前記ＴからＴａを差し引いた時間Ｔｂ、前記Ｔを一分間の振動数に換算したいわゆる一分間脈拍数ｎを求め、動脈波形の最大値である最大血圧Ｐｈ、最低値である最低血圧Ｐｌとこれらの関係について示したものである。図1（ａ）において最大血圧Ｐｈとｎの積で求められる値とＴａとＴｂの積との間、（ｂ）においてｎの二乗を最低血圧Ｐｌで除した値とＴｂの二乗との間にそれぞれ強い関係が認められる。すなわち、適切な関数を選ぶことで、動脈血圧の最大血圧、最小血圧が、動脈波形の一周期およびその一周期における最大値、最低値に関係する時間関数で表すことが出来る。
【０００６】
そこで、本発明に係る動脈血圧測定方法は、動脈の最大血圧、最低血圧を測定する血圧測定方法において、検査対象に取り付られた動脈波形検出センサにより得られた動脈波形を取り込む動脈波形取り込み工程と、前記取り込まれた動脈波形を時間微分して動脈微分波形を得る動脈波形微分演算工程と、その一拍ごとの動脈微分波形のゼロクロス点を用いて、その一拍における動脈微分波形の一周期の時間Ｔと、動脈波形の最低値に対応するゼロクロス点から最大値に対応するゼロクロス点までの時間Ｔａと、前記時間Ｔから前記Ｔａを差し引いた時間Ｔｂを求めるゼロクロス演算工程と、前記演算により求めたＴとＴａとＴｂの値を用いて、一分間脈拍数ｎをｎ＝（６０／Ｔ）で求め、一拍ごとの最大血圧Ｐｈについて、Ａ、Ｂを定数、ＬＯＧは常用対数を示すものとして、｛Ｐｈ＊ｎ＝−Ａ＊ＬＯＧ（Ｔａ＊Ｔｂ）−Ｂ｝の関係式から算出し、一拍ごとの最低血圧Ｐｌについて、Ｃ、Ｄを定数として、｛ｎ＊ｎ／Ｐｌ＝Ｃ＊（Ｔｂ＊Ｔｂ）―D｝の関係式から算出する血圧演算工程を有することを特徴とする
【０００８】
本発明に係る動脈血圧測定方法は、動脈の最大血圧、最低血圧を測定する血圧測定方法において、検査対象に取り付けられた動脈波形検出センサにより得られた動脈波形を取り込む動脈波形取り込み工程と、前記取り込まれた一拍ごとの動脈波形について、その最低値から最大値までの時間ＴＡと、その一拍における動脈波形の一周期の時間Ｔから前記ＴＡを差し引いた時間ＴＢを求めるＴＡＴＢ演算工程と、前記演算により求めたＴＡ、ＴＢの値を用いて、一分間脈拍数ｎをｎ＝（６０／Ｔ）で求め、一拍ごとの最大血圧Ｐｈについて、Ａ、Ｂを定数、ＬＯＧは常用対数を示すものとして、｛Ｐｈ＊ｎ＝−Ａ＊ＬＯＧ（ＴＡ＊ＴＢ）−Ｂ｝の関係式から算出し、一拍ごとの最低血圧Ｐｌについて、Ｃ、Ｄを定数として、｛ｎ＊ｎ／Ｐｌ＝Ｃ＊（ＴＡ＊ＴＢ）―D｝の関係式から算出する血圧演算工程を有することを特徴とする。
【０００９】
本発明に係る動脈血圧測定装置は、動脈の最大血圧、最低血圧を測定する血圧測定装置において、検査対象の動脈波形を検出するセンサ手段と、前記センサ手段により得られた動脈波形を取り込む動脈波形取り込み手段と、前記取り込まれた一拍ごとの前記動脈波形を時間微分して動脈微分波形を得る動脈波形微分演算手段と、その一拍ごとの動脈微分波形のゼロクロス点を用いて、その一拍における動脈微分波形の一周期の時間Ｔと、動脈波形の最低値に対応するゼロクロス点から最大値に対応するゼロクロス点までの時間Ｔａと、前記時間Ｔから前記Ｔａを差し引いた時間Ｔｂを求めるゼロクロス演算手段と、前記演算により求めたＴとＴａとＴｂの値を用いて、一分間脈拍数ｎをｎ＝（６０／Ｔ）で求め、一拍ごとの最大血圧Ｐｈについて、Ａ、Ｂを定数、ＬＯＧは常用対数を示すものとして、Ｐｈ＊ｎ＝−Ａ＊ＬＯＧ（Ｔａ＊Ｔｂ）−Ｂ｝の関係式から算出し、一拍ごとの最低血圧Ｐｌについて、Ｃ、Ｄを定数として、｛ｎ＊ｎ／Ｐｌ＝Ｃ＊（Ｔｂ＊Ｔｂ）―D｝の関係式から算出する血圧演算手段を有することを特徴とする。
【００１１】
本発明に係る動脈血圧測定装置は、動脈の最大血圧、最低血圧を測定する血圧測定装置において、検査対象の動脈波形を検出するセンサ手段と、前記センサ手段により得られた動脈波形を取り込む動脈波形取り込み手段と、前記取り込まれた一拍ごとの動脈波形について、その最低値から最大値までの時間ＴＡと、その一拍における動脈波形の一周期の時間Ｔから前記ＴＡを差し引いた時間ＴＢを求めるＴＡＴＢ演算手段と、前記演算により求めたＴＡ、ＴＢの値を用いて、一分間脈拍数ｎをｎ＝（６０／Ｔ）で求め、一拍ごとの最大血圧Ｐｈについて、Ａ、Ｂを定数、ＬＯＧは常用対数を示すものとして、｛Ｐｈ＊ｎ＝−Ａ＊ＬＯＧ（ＴＡ＊ＴＢ）−Ｂ｝の関係式から算出し、一拍ごとの最低血圧Ｐｌについて、Ｃ、Ｄを定数として、｛ｎ＊ｎ／Ｐｌ＝Ｃ＊（ＴＢ＊ＴＢ）―D｝の関係式から算出する血圧演算手段を有することを特徴とする。
【００１２】
本発明に係る動脈血圧測定方法および動脈血圧測定装置は、検査対象に動脈波形を検出するセンサを取付け、前記センサから動脈波形を取り込み、その動脈波形を時間微分して動脈微分波形を得、その一拍ごとの動脈微分波形においてゼロクロスの各点間の時間Ｔｉと、その一拍における動脈微分波形の一周期の時間Ｔを求め、そのＴｉとＴの値を用いて、このとき好ましくは動脈波形の最低値に対応するゼロクロス点から最大値に対応するゼロクロス点までの時間Ｔａと、その一拍における動脈微分波形の一周期の時間Ｔから前記Ｔａを差し引いた時間Ｔｂを用いて、一拍ごとの最大血圧、最低血圧を求める関数を演算することを特徴とするので、その時間測定はセンサの種類によらず安定した測定が可能となり、また動脈微分波形のゼロクロス点の測定を用いることで、センサの体への固定方法などによる測定結果へのノイズの発生を防ぎ、より安定した測定が可能となる。
【００１３】
【発明の実施の形態】
以下図面を用いて本発明の実施の形態について詳細に説明する。図２は本発明の実施の形態を示すブロック図である。図２において被検体１の体表面で動脈波形を検出できる適切な部位、例えば人体で言えば手首や腕などにセンサ２が取り付けられる。センサ２の端子は動脈波形取り込み手段３と結び付けられ、さらに動脈波形微分演算手段４、ゼロクロス演算手段５を経て血圧演算手段６へ結ばれ、その結果が出力される。かかるセンサ２の例を図３に示す。図３（ａ）は、センサとして赤外センサを用いた場合の断面図である。赤外センサ２は直径がおよそ３ｍｍの発光素子１２と、ほぼ同じ大きさの受光素子１３が並べられて、基板の上に配置される。その基板の背面には例えばウレタンなどのクッション材１４が取り付けられる。図３（ｂ）はその平面図であり、発光素子１２を両側に二個、その中央に受光素子１３を一個配置したものを、四組並べてある。図３（ｃ）は、センサとして、触覚センサ２を用いたもので、３個の圧電変換素子１５が基板上に配置される。
【００１４】
図２の構成に係る作用について説明する。被検体１の体表面にセンサ２が取り付けられる。図３に示すセンサ２を例にとると、図３（ａ）において赤外センサ２は発光素子１２、受光素子１３を被検体１に対向するようにして、背面のクッション材１４の上から例えば、マジックテープまたは適切なテープ材などで被検体１に押し付けて止める。赤外センサ２の図示されていないコントロール回路から発光素子１２に電流が流れると発光素子１２が点灯し、例えば赤外波長の光が被検体１の内部の動脈１１にむけて送波され、動脈１１に到達して動脈の運動すなわち脈波の影響を受けつつ反射され、受光素子１３で受波し、図示していないコントロール回路で増幅が行なわれる。このときの周波数変化により動脈波形を得ることが出来る。図３（ａ）において、一個の受光素子１３の両側に発光素子１２を二個並べ、図３（ｂ）においてかかる発光素子１２と受光素子１３の組を四組並べてあるので、被検体１内部の動脈の運動を幅広く受波することが出来る。図３（ｃ）の触覚センサ２について、圧電変換素子１５が三個取り付けられているのも同様の配慮である。したがってその個数は必要に応じて増減できる。図４の上段に、かかる赤外センサの周波数変化の波形と、下段に、同時に被検体１の動脈内に圧力センサを挿入して直接動脈内の圧力を測定（観血法）した結果を、時間軸を合わせて比較して示す。図４から明らかなように、体表面に適切に取り付けられたセンサ２が検出する動脈波形は、縦軸の単位の問題を別にすればきわめて良い対応を示す。この波形の「縦軸の単位の問題を別にすれば」とは、言い換えれば横軸の時間軸はセンサ２によらず同じであることである。
【００１５】
センサ２により検出された信号のデータは、動脈波形取り込み手段３に取り込まれて、連続した動脈波形のデータに処理される。ついで取り込まれた動脈波形は動脈波形微分演算手段４により、動脈微分波形が演算される。このような手段としては、一般的なデータアクイジョンシステム（ＤＡＳ）、デジタル信号微分ソフトを用いることが出来る。図５（ａ）に赤外センサ法により得られた動脈波形、（ｂ）にその動脈微分波形を示す。いずれも波形にはスムージング処理を施してある。
【００１６】
次にゼロクロス演算手段５は、前記動脈微分波形についてのゼロクロス点の間の時間Ｔｉと、前記動脈微分波形の一周期の時間Ｔを、動脈微分波形一周期ごとに演算する。Ｔｉは複数あり得る。例えば先ほどの図５（ｂ）において説明すると、動脈微分波形一周期においてゼロクロス点は数点認められる。その中で図５（ａ）における最低血圧から最大血圧に至る前後の二つの変曲点に対応するゼロクロス点が最も重要と考えられ、ついで、最大血圧から徐々に最低血圧に至る過程でのやや大きな血圧の上昇期における二つの変曲点に対応するゼロクロス点がそれに次ぐ。ここで、最も重要と考えられる最低血圧から最大血圧に至る前後の二つの変曲点に対応するゼロクロス点の間の時間をＴａとする。このＴａはまた、図５（ａ）において、動脈波形の最低血圧点から最大血圧点までの時間ＴＡと対応するものであるから、動脈波形から直接演算することも出来る。また動脈微分波形の一周期Ｔを一分間の振動数に換算したいわゆる一分間脈拍数ｎは次の数式（１）により求めることが出来る。
【数１】
ｎ＝６０／Ｔ    ・・・（１）
ただしＴの単位はｓｅｃである。
【００１７】
血圧演算手段６は、ゼロクロス演算手段５によって得られた複数のＴｉと、動脈微分波形の一周期Ｔを用いて、一拍ごとの最大血圧Ｐｈ、最低血圧Ｐｌを求める関数を演算する。その関数形の例を図６に示す。図６は、３種類の実験結果から関数形を求めたもので、第一の実験結果は、動脈内に圧力センサを挿入して直接動脈波形を得る観血法によって、最大血圧Ｐｈ、最低血圧Ｐｌとともに前述のｎ、Ｔ、Ｔａを求め、Ｔｂ＝Ｔ−Ｔａを計算するもので、図１のデータそのものである。第二の実験は、人体表面の動脈血圧の脈動が検出できる適当な部位に赤外センサを取り付け、その赤外センサにより観測される動脈波形から、前述のｎ、Ｔ、Ｔａ、Ｔｂを求め、同時にマンシェット法で最大血圧、最低血圧を測定したもので、第三の実験は赤外センサの代わりに触覚センサを用いて、第二の実験と同様に行ったものである。図６には、第一の実験結果を黒丸で、第二の実験結果を白丸で、第三の実験結果を三角マークで区別してある。この図６（ａ）の結果から一拍ごとの最大血圧Ｐｈは式（２）で、図６（ｂ）の結果から一拍ごとの最低血圧Ｐｌは式（３）で表される。
【数２】
Ｐｈ＊ｎ＝−Ａ＊ＬＯＧ（Ｔａ＊Ｔｂ）−Ｂ    ・・・（２）
ただし、Ａ、Ｂは定数、Ｔｂ＝Ｔ−Ｔａ、ＬＯＧは常用対数を示す。
【数３】
ｎ＊ｎ／Ｐｌ＝Ｃ＊（Ｔｂ＊Ｔｂ）―D          ・・・（３）
ただし、Ｃ、Ｄは定数である。
式（２）、（３）に従って演算された結果は、一拍ごとの動脈波形の最大血圧Ｐｈ、最低血圧Ｐｌとして表示される。
【００１８】
また、図６の結果から、本発明に係る動脈血圧測定方法および動脈血圧測定装置が、センサの種類によらず安定して測定できることがわかる。すなわち、図６においては、ＬＥＤをセンサとしたときの結果と、触覚センサを用いたときの結果の間に有意差は認められず、また、マンシェット法と観血法の二つの方法を用いても一つの演算式を用いることができる。このことは、本発明に係る動脈血圧測定方法および動脈血圧測定装置が時間測定法であるため、赤外センサ法と触覚センサ法のセンサの差がなく、きわめて安定して測定できることを示している。
【００１９】
なお、図６は、Ｔｉのうち、最も顕著なＴａ、Ｔｂを用いた数式（２）、（３）で表される関数形の適用結果であるが、このことは、動脈波形が第一次近似として最低血圧点、最大血圧点、最低血圧点の３点を一周期としたからであって、さらに適切なＴｉを選ぶことで、第二次近似、第三次近似の関数形を用いて本発明を実施できる。また、血管系の物質の持つ振動特性の振幅値と周波数特性の考察から、動脈波形について種々のモデルの考え方が導き出せるが、その場合でもＴ、Ｔｉを含む関数形であれば、本発明を実施できる。すなわち動脈波形のモデルのバリエーションにおいても、動脈微分波形のゼロクロス点を利用し、センサの種類で定まる動脈波形の出力値（縦軸）に依存しない、Ｔ、Ｔｉの関数を演算して、そのモデルにしたがった最大血圧、最低血圧を表して本発明を実施できる。
【００２０】
【発明の効果】
本発明に係る動脈血圧測定方法および動脈血圧測定装置は、検査対象に動脈波形を検出するセンサを取付け、前記センサから動脈波形を取り込み、その動脈波形を時間微分して動脈微分波形を得、その一拍ごとの動脈微分波形においてゼロクロスの各点間の時間Ｔｉと、その一拍における動脈微分波形の一周期の時間Ｔを求め、そのＴｉとＴの値を用いて、このとき好ましくは動脈波形の最低値に対応するゼロクロス点から最大値に対応するゼロクロス点までの時間Ｔａと、その一拍における動脈微分波形の一周期の時間Ｔから前記Ｔａを差し引いた時間Ｔｂを用いて、一拍ごとの最大血圧、最低血圧を求める関数を演算することを特徴とするので、センサの種類によらず安定した測定が可能となった。また動脈微分波形のゼロクロス点の測定を用いることで、センサの体への固定方法などによる測定結果へのノイズの発生を防ぎ、より安定した測定が可能となった。
【図面の簡単な説明】
【図１】  本発明の知見である、観血法の動脈波形のＴａ、Ｔｂと、その最大血圧、最低血圧とのを関係を示す図である。
【図２】  本発明に係る動脈血圧測定装置の実施の形態を示すブロック図である。
【図３】  本発明の実施の形態におけるセンサの例である。（ａ）は、赤外センサの断面図、（ｂ）はその平面図、（ｃ）は触覚センサを示す図である。
【図４】  赤外センサの周波数変化の波形（上段）と、観血法による圧力波形（下段）を示す図である。
【図５】  本発明に係る動脈血圧測定装置の実施の形態において、（ａ）は赤外センサ法により得られた動脈波形、（ｂ）はその動脈微分波形を示す。
【図６】  本発明に係る動脈血圧測定装置の実施の形態において、種々の実験結果と、それらから導かれる関数形を示す図である。
【符号の説明】
１  被検体、２  センサ、３  動脈波形取り込み手段、４  動脈波形微分演算手段、５  ゼロクロス演算手段、６  血圧演算手段、１１  動脈、１２  発光素子、１３  受光素子、１４  クッション材、１５  圧電変換素子、Ｐｈ  最大血圧、Ｐｌ  最低血圧、Ｔ  動脈波形の一周期の時間、Ｔａ  最低血圧点から最大血圧点に対応するゼロクロス点間の時間、Ｔｂ  Ｔ−Ｔａである時間、Ｔｉ  動脈微分波形においてゼロクロスの各点間の時間、ｎ  一分間脈拍数。
【図１】
0004680411.tif 000002
【図２】
0004680411.tif 000003
【図３】
0004680411.tif 000004
【図４】
0004680411.tif 000005
【図５】
0004680411.tif 000006
【図６】
0004680411.tif 000007